(57)【要約】【課題】  濾過性能の良いガス用フィルタの提供。【解決手段】  複数枚の金網が積層され、必要に応じて変形された積層体からなるガス用フィルタであり、積層体を構成する金網は、複数の金属線が交差して形成される複数の凸状交差部を有するものであり、隣接する金網同士は、下記（Ａ）、（Ｂ）、（Ｃ）のいずれか１つの関係を有し、かつ積層体の外周面に凹凸が生じないように組み合わされたものであるガス用フィルタ。  （Ａ）金属線の線径が異なり、凸状交差部間のピッチが異なる  （Ｂ）金属線の線径が異なり、凸状交差部間のピッチが同一である  （Ｃ）金属線の線径が同一で、凸状交差部間のピッチが異なる【選択図】  なし【特許請求の範囲】
【請求項１】
複数枚の金網が積層され、必要に応じて変形された積層体からなるガス用フィルタであり、
積層体を構成する金網は、複数の金属線が交差して形成される複数の凸状交差部を有するものであり、
隣接する金網同士が、下記（Ａ１）、（Ｂ１）、（Ｃ１）のいずれか１つの関係を有することで摺動自在にされており、複数枚の金網が、積層体の外周面に凹凸が生じないように組み合わされたものであるガス用フィルタ。
（Ａ１）金属線の線径が異なり、凸状交差部間のピッチが異なること；
（Ｂ１）金属線の線径が異なり、凸状交差部間のピッチが同一であること；
（Ｃ１）金属線の線径が同一で、凸状交差部間のピッチが異なること；
【請求項２】
隣接する金網同士が、下記（Ａ２）、（Ｂ２）、（Ｃ２）のいずれか１つの関係を有するものである請求項１記載のガス用フィルタ。
（Ａ２）金属線の線径が異なり、凸状交差部間のピッチが異なるものであり、更に一方の金網の凸状交差部の間隔が、他方の金網の凸状交差部の径よりも大きいものであること；
（Ｂ２）金属線の線径が異なり、凸状交差部間のピッチが同一であるものであり、更に一方の金網の凸状交差部の間隔が、他方の金網の凸状交差部の径よりも大きいものであること；
（Ｃ２）金属線の線径が同一で、凸状交差部間のピッチが異なるものであり、更に一方の金網の凸状交差部の間隔が、他方の金網の凸状交差部の径よりも小さいものであること；
【請求項３】
積層体を構成する金網間に弾性のある濾過材の層を有している請求項１又は２記載のガス用フィルタ。
【請求項４】
積層体の端面の一部又は全部が挟み具で挟み付けられて固定されている請求項１〜３のいずれかに記載のガス用フィルタ。
【請求項５】
エアバッグに使用するガス発生器用である請求項１〜４のいずれかに記載のガス用フィルタ。
【発明の詳細な説明】
【技術分野】
【０００１】
本発明は、エアバッグインフレータに使用できるガス用フィルタに関する。
【背景技術】
【０００２】
エアバッグインフレータでは、燃焼ガスの残渣の濾過及び冷却用としてフィルタが使用されている。このフィルタとしては、平織等の金網を複数積層したものが使用されている。
【０００３】
図１（ａ）、（ｂ）に示すような平織の金網１では、縦の金属線２と横の金属線３が縦横に交互に編まれており、金属線２、３の交差による凸状交差部４が存在している。このため、同じ寸法に揃えた金網１（１ａ、１ｂ）を積層するとき、２つの凸状交差部４間のピッチ（Ｐ１）は同一となるから、図２（ａ）のように凸状交差部４同士が当接するため、実際には図２（ｂ）のように、金網１（１ａ、１ｂ）は縦又は横方向にずれた状態で積層されることになる。
【０００４】
このとき、金網１ａの凸状交差部４は、金網１ｂの２つの凸状交差部４間に入り込み、引っかかった状態になるため、長さ方向にスライドし難くなり、端を揃えることが困難になる。このため、更に金網を積層していくと、縦又は横方向の端面は凹凸面になる。
【０００５】
そして、図２（ｂ）のような、端面が凹凸面である積層体をガス用フィルタとして適用したとき、端面からのガスのショートパス（フィルタを通過しないでガスが流れる現象）の問題が発生し、フィルタとして十分な機能を発揮できない。
【特許文献１】USP 4,817,828
【発明の開示】
【発明が解決しようとする課題】
【０００６】
特許文献１の図１１には、エアバッグインフレータ用のフィルタとして、金網の間にスチールウール層とセラミックス／ガラスウール層を挟み込んだものが開示されているが、構造が複雑であり、製造コストも高くなる。
【０００７】
本発明は、製造が容易で、高い濾過性能を有するガス用フィルタを提供することを課題とするものである。
【課題を解決するための手段】
【０００８】
本発明は、課題の解決手段として、複数枚の金網が積層され、必要に応じて変形された積層体からなるガス用フィルタであり、
積層体を構成する金網は、複数の金属線が交差して形成される複数の凸状交差部を有するものであり、
隣接する金網同士が、下記（Ａ１）、（Ｂ１）、（Ｃ１）のいずれか１つの関係を有することで摺動自在にされており、複数枚の金網が、積層体の外周面に凹凸が生じないように組み合わされたものであるガス用フィルタ。
（Ａ１）金属線の線径が異なり、凸状交差部間のピッチが異なること；
（Ｂ１）金属線の線径が異なり、凸状交差部間のピッチが同一であること；
（Ｃ１）金属線の線径が同一で、凸状交差部間のピッチが異なること；
なお、ピッチは、１つの凸状交差部（金属線）の中心と、隣に位置する凸状交差部（金属線）の中心との間隔である。
【０００９】
積層体を構成する金網は、平織、綾織り、平畳織り、綾畳織り等で織られたものを挙げることができるが、フィルタの用途に応じて、前記以外の織り方によるものも使用できる。更に本発明でいう金網には、例えば、軟鋼薄板に切れ目を入れて引き伸ばして網状としたエキスパンドメタル、ラスメタルも含まれる。
【００１０】
積層体は、（Ａ１）、（Ｂ１）、（Ｃ１）のいずれか１つの関係を有しているものであれば、例えば、１０枚の金網が積層されているとき、全ての金網が異なる金網でもよいし、２種類の異なる金網が交互に積層されたものでもよいし、３〜９種類の金網が積層されたものでもよい。
【００１１】
隣接する金網同士が（Ａ１）、（Ｂ１）、（Ｃ１）のいずれか１つの関係を有するようにすることにより、互いに摺動自在になるため、図２（ａ）、（ｂ）で示したような問題が生じることがない。
【００１２】
更に本発明のガス用フィルタは、本発明の課題の解決する上で、隣接する金網同士が、下記（Ａ２）、（Ｂ２）、（Ｃ２）のいずれか１つの関係を有するものにすることができる。（Ａ２）、（Ｂ２）、（Ｃ２）は、（Ａ１）、（Ｂ１）、（Ｃ１）に追加の関係を加えたものである。
【００１３】
（Ａ２）金属線の線径が異なり、凸状交差部間のピッチが異なるものであり、更に一方の金網の凸状交差部の間隔が、他方の金網の凸状交差部の径よりも大きいものであること；
（Ｂ２）金属線の線径が異なり、凸状交差部間のピッチが同一であるものであり、更に一方の金網の凸状交差部の間隔が、他方の金網の凸状交差部の径よりも大きいものであること；
（Ｃ２）金属線の線径が同一で、凸状交差部間のピッチが異なるものであり、更に一方の金網の凸状交差部の間隔が、他方の金網の凸状交差部の径よりも小さいものであること；
なお、金網の凸状交差部の間隔とは、隣接する凸状交差部間の間隔（但し、凸状交差部を除いた部分の金属線の間隔）である。
【００１４】
本発明のガス用フィルタは、用途に応じた形状にすることができ、例えば、円筒状、Ｕ字状、箱状、平板状にすることができる。
【００１５】
本発明のガス用フィルタは、積層体を構成する金網間に弾性のある濾過材の層を有しているものにすることができる。弾性のある濾過材としては、セラミックスファイバー、スチールウール、ガラスウール等を用いることができる。
【００１６】
本発明のガス用フィルタは、濾過性能の調整や運搬及び保管を容易にする観点から、積層体の端面の一部又は全部が挟み具で挟み付けられて固定されているものにすることができる。
【００１７】
本発明のガス用フィルタは、各種分野におけるガス濾過用のフィルタとして使用することができ、特に高温ガス濾過用として適しており、具体的には、エアバッグに使用するガス発生器用として好適である。
【００１８】
本発明のガス用フィルタは、エアバッグ用ガス発生器に適用するときは、正常に作動させる観点から、空気流量１ｍ３／分における全体の圧力損失が０．０２〜５００ｋＰａであることが好ましく、０．０５〜３０ｋＰａであることがより好ましい。圧力損失の測定は、特許第２，９２６，０４０号公報の段落番号６７及び図８に開示された方法による。他の用途のフィルタとして適用する場合にも、適正な圧力損失を維持するように設定する。
【発明の効果】
【００１９】
本発明のガス用フィルタは、装置内への組み込みが容易で、ショートパス等の問題が生じることがなく、優れた濾過性能を発揮できる。本発明のガス用フィルタは、少なくとも２種類の金網を用いることで、多数枚の積層体からなるものを容易に得ることができる。
【発明を実施するための最良の形態】
【００２０】
（１）第１の実施形態
図１、図３により、ガス用フィルタを説明する。図１（ａ）は、金網の平面図、図１（ｂ）は、図１（ａ）の断面図であるが、理解が容易になるように少し簡略化している。図３は、金網の概略断面図であり、上記した「（Ａ１）金属線の線径が異なり、凸状交差部間のピッチが異なること」の関係を有する２枚の金網の積層状態を説明するための図である。
【００２１】
１枚の金網１は、平織で織られたもので、縦の金属線２と横の金属線３が交互に織られたものであり、交差部には凸状交差部４が生じている。縦の金属線２と横の金属線３は同径であるが、凸状交差部４の径は、縦の金属線２と横の金属線３の径よりも大きい。なお、凸状交差部の断面形状は、必ずしも円ではない場合もあるため、以下において「凸状交差部の径」というときは、「凸状交差部の大きさ」の意味も含むものとする。
【００２２】
図３に示すように、金網１の上に金網１１を積層する。金網１１と金網１の縦横の寸法は同一である。
【００２３】
金網１１の金属線（横）１３の径（Ｄ２）は、金網１の金属線（横）３の径（Ｄ１）よりも大きく、凸状交差部１４の径も凸状交差部４の径より大きくなる。
【００２４】
凸状交差部１４の径（Ｄ３）は、隣接する凸状交差部４間の間隔（凸状交差部４を除いた金属線３のみの間隔）（ｗ１）よりも大きく（Ｄ３＞ｗ１）、ピッチＰ１と同等以上であることが好ましい。Ｄ３＞ｗ１の関係を有していると、凸状交差部１４が、２つの凸状交差部４間に嵌り込んで、摺動し難くなることがない。
【００２５】
凸状交差部１４間のピッチＰ２は、凸状交差部４間のピッチＰ１よりも大きくなっている。なお、凸状交差部１４間のピッチＰ２は全て同一であり、凸状交差部４間のピッチＰ１は全て同一である。
【００２６】
金網１の上に金網１１を積層したとき、互いに（Ａ１）の関係を有しているので、金網１と金網１１は互いに摺動自在となっている。このため、凸状交差部１４は、２つの凸状交差部４間に嵌り込んで動かなくなることがない。そして、金網１１と金網１の縦横の寸法が同一であるから、端を揃えることが容易となる。
【００２７】
このように金網１の上に金網１１、金網１１の上に金網１、金網１の上に金網１１といった順序で所要枚数だけ交互に積層していくことにより、最終的に端面が揃った板状の積層体を容易に得ることができる。また、例えば、１０枚の金網を積層する場合、金網１を奇数位置に配置し、金網１１を偶数位置に配置した１０枚の金網を用意し、平面上で一端面を軽く叩いて揃える方法でも積層体を得ることができる。
【００２８】
積層体は、ガス用フィルタとして適用することを考慮すると、適用対象に応じて、通気性（通気性を高めた場合、濾過性が低下する）及び濾過性（濾過性を高めた場合、通気性が低下する）という相反する要件を満たしていることが重要となる。
【００２９】
図３から明らかなように、通気性と濾過性の両方を満足させる観点から、線径（凸状交差部の径）とピッチを調整する。
【００３０】
次に図４により、別形態のガス用フィルタを説明する。図４は、金網の概略断面図であり、上記した「（Ａ２）金属線の線径が異なり、凸状交差部間のピッチが異なるものであり、更に一方の金網の凸状交差部の間隔が、他方の金網の凸状交差部の径よりも大きいものであること」の関係を有する２枚の金網の積層状態を説明するための図である。
【００３１】
金網１の凸状交差部４同士の間隔（ｗ１）は、金網１１の凸状交差部１４の径（Ｄ３）よりも大きくなるように設定されており、更にＰ１＜Ｐ２である。
【００３２】
金網１と金網１１とを積層するとき、凸状交差部４同士間の金属線３の位置に凸状交差部１４が存在する場合があるが、そのときでも金属線３は一部が凸状交差部１４で覆われるのみであるため（ｗ１＞Ｄ３）、凸状交差部１４で覆われていない部分の金属線３、１３（図４中の破線位置）において切断できる。また、ｗ１＞Ｄ３の関係を有していると、凸状交差部１４が２つの凸状交差部４間を摺動できるため、金網１、１１を重ね合わせることが容易となる。
【００３３】
積層体は、必要に応じて、１層ごと又は２層以上ごとに、弾性のある濾過材として、セラミックスファイバー、スチールウール、ガラスウール等を挟み込むこともできる。
【００３４】
積層体は、平板状、円筒状等の所望形状に圧縮成形してもよいし、運搬及び保管を容易にする観点から、積層体の端面の一部又は全部を挟み具で挟み付けて固定してもよい。
【００３５】
積層体は、ガス用フィルタとして使用され、特にエアバッグ用ガス発生器に使用するガス用フィルタとして適している。
【００３６】
（２）第２の実施形態
図１、図５により、ガス用フィルタを説明する。図５は、金網の概略断面図であり、上記した「（Ｂ１）金属線の線径が異なり、凸状交差部間のピッチが同一である」の関係を有する２枚の金網の積層状態を説明するための図である。
【００３７】
図５に示すように、金網１の上に金網２１を積層する。金網２１と金網１の縦横の寸法は同一である。
【００３８】
金網２１の金属線（横）２３の径は、金網１の金属線（横）３の径よりも大きく、凸状交差部２４の径も凸状交差部４の径よりも大きくなる。
【００３９】
凸状交差部２４の径は、ピッチＰ１よりは小さいが、隣接する凸状交差部４間の間隔（ｗ１）よりも大きいこと（上記した図３に示す第１の実施形態におけるＤ３＞ｗ１と同じ関係であること）が好ましい。凸状交差部２４の径と隣接する凸状交差部４間の間隔（ｗ１）が前記関係を有していると、凸状交差部２４が、２つの凸状交差部４間に嵌り込んで、摺動し難くなることがない。
【００４０】
凸状交差部２４間のピッチＰ３は、凸状交差部４間のピッチＰ１と同じである。なお、全てのＰ３及びＰ１は、それぞれ同一である。
【００４１】
金網１の上に金網２１を積層したとき、互いに（Ｂ１）の関係を有しているので、金網１と金網２１は互いに摺動自在となっている。このため、凸状交差部２４は、２つの凸状交差部４間に嵌り込んで動かなくなることがない。そして、金網２１と金網１の縦横の寸法が同一であるから、端を揃えることが容易となる。
【００４２】
このように金網１の上に金網２１、金網２１の上に金網１、金網１の上に金網２１といった順序で所要枚数だけ積層していく方法、又は第１の実施形態のように複数枚を用いて一度に積層体を得る方法を適用することにより、最終的に端面が揃った板状の積層体を容易に得ることができる。
【００４３】
次に図６により、別形態のガス用フィルタを説明する。図６は、金網の概略断面図であり、上記した「（Ｂ２）金属線の線径が異なり、凸状交差部間のピッチが同一であるものであり、更に一方の金網の凸状交差部の間隔が、他方の金網の凸状交差部の径よりも大きいものであること」の関係を有する２枚の金網の積層状態を説明するための図である。
【００４４】
金網１の凸状交差部４同士の間隔（ｗ１）は、金網２１の凸状交差部２４の径（Ｄ４）よりも大きくなるように設定されており、更にＰ１＝Ｐ３である。
【００４５】
金網１と金網２１とを積層するとき、凸状交差部４同士間の金属線３の位置に凸状交差部２４が存在する場合があるが、そのときでも金属線３は一部が凸状交差部２４で覆われるのみであるため（ｗ１＞Ｄ４）、凸状交差部２４で覆われていない部分の金属線３、２３（図６中の破線位置）において切断できる。また、ｗ１＞Ｄ４の関係を有していると、凸状交差部２４が２つの凸状交差部４間を摺動できるため、金網１、２１を重ね合わせることが容易となる。
【００４６】
積層体は、必要に応じて、１層ごと又は２層以上ごとに、弾性のある濾過材として、セラミックスファイバー、スチールウール、ガラスウール等を挟み込むこともできる。
【００４７】
積層体は、平板状、円筒状等の所望形状に圧縮成形してもよいし、運搬及び保管を容易にする観点から、積層体の端面の一部又は全部を挟み具で挟み付けて固定してもよい。
【００４８】
積層体は、ガス用フィルタとして使用され、特にエアバッグ用ガス発生器に使用するガス用フィルタとして適している。
【００４９】
（３）第３の実施形態
図１、図７により、ガス用フィルタを説明する。図７は、金網の概略断面図であり、上記した「（Ｃ１）金属線の線径が同一で、凸状交差部間のピッチが異なる」の関係を有する２枚の金網の積層状態を説明するための図である。
【００５０】
図７に示すように、金網１の上に金網３１を積層する。金網３１と金網１の縦横の寸法は同一である。
【００５１】
金網３１の金属線（横）３３の径は、金網１の金属線（横）３の径と同一で、凸状交差部３４の径も凸状交差部４の径と同一である。
【００５２】
凸状交差部３４間のピッチＰ４は、凸状交差部４間のピッチＰ１よりも大きくなっている。なお、全てのＰ４及びＰ１は、それぞれ同一である。
【００５３】
図７と図２（ｂ）とは、金網３１と金網１ｂとの凸状交差部間のピッチが異なる以外は同一であるが、図７では、金網１と金網３１は長さ方向に摺動自在であり、図２（ｂ）では、金網１ａ、１ｂは摺動自在ではない。これは、図７では、金網３１の凸状交差部３４の数が少なく（図では５個）、図２（ｂ）では、金網１ｂの凸状交差部４の数が多いため（図では１０個）、金網１と金網３１との接触点が、金網１ａ、１ｂの接触点よりも大幅に少なくなり、また１つの金網の凸状交差部間に嵌り込む他の金網の凸状交差部の数が圧倒的に少なくなることによる。
【００５４】
金網１の上に金網３１を積層したとき、互いに（Ｃ１）の関係を有しているので、金網１と金網３１は互いに摺動自在となっている。このため、凸状交差部３４は、２つの凸状交差部４間に嵌り込んで動かなくなることがない。そして、金網３１と金網１の縦横の寸法が同一であるから、端を揃えることが容易となる。
【００５５】
このように金網１の上に金網３１、金網３１の上に金網１、金網１の上に金網３１といった順序で所要枚数だけ積層していく方法、又は第１の実施形態のように複数枚を用いて一度に積層体を得る方法を適用することにより、最終的に端面が揃った板状の積層体を容易に得ることができる。
【００５６】
次に図８により、別形態のガス用フィルタを説明する。図８は、金網の概略断面図であり、上記した「（Ｃ２）金属線の線径が同一で、凸状交差部間のピッチが異なるものであり、更に一方の金網の凸状交差部の間隔が、他方の金網の凸状交差部の径よりも小さいものであること」の関係を有する２枚の金網の積層状態を説明するための図である。
【００５７】
金網１の凸状交差部４同士の間隔（ｗ１）は、金網３１の凸状交差部３４の径（Ｄ５）よりも小さくなるように設定されており、更にＰ１＜Ｐ４である。
【００５８】
金網１と金網３１とを積層するとき、凸状交差部４同士の間隔（ｗ１）の方が凸状交差部３４の径（Ｄ５）よりも小さくなるように設定されている（ｗ１＜Ｄ５）。このため、凸状交差部３４が凸状交差部４間に嵌り込まないため、金網１、３１を重ね合わせることが容易となる。
【００５９】
積層体は、必要に応じて、１層ごと又は２層以上ごとに、弾性のある濾過材として、セラミックスファイバー、スチールウール、ガラスウール等を挟み込むこともできる。
【００６０】
積層体は、平板状、円筒状等の所望形状に圧縮成形してもよいし、運搬及び保管を容易にする観点から、積層体の端面の一部又は全部を挟み具で挟み付けて固定してもよい。
【００６１】
積層体は、ガス用フィルタとして使用され、特にエアバッグ用ガス発生器に使用するガス用フィルタとして適している。
【００６２】
以上の第１〜第３の実施形態においては、平織金網を使用した場合の態様を説明したが、平畳織、綾畳織、綾織の金網やエキスパンドメタル、ラスメタルでも同様である。特に平畳織、綾畳織、綾織の金網では、重ね合わせる２つの金網の線材が図３〜図８に示した向き関係にあるものについて適している。また、異なる織りの金網等を組み合わせ積層してもよく、例えば、平織金網と綾畳織金網の組み合わせ、平織金網と綾織金網との組み合わせにすることができる。
【００６３】
（４）第４の実施形態
図９により、ガス用フィルタを説明する。図９は、積層体を構成する金網間に弾性のある濾過材の層を有しているものの断面図である。
【００６４】
複数の金網１の間には、弾性のある濾過材４１、４２、４３が挟み込まれている。弾性のある濾過材４１、４２、４３は、セラミックスファイバー、スチールウール、ガラスウールから選択したものを単独で、又は組み合わせて用いる。
【００６５】
この形態で使用する金網は、上記（Ａ１）、（Ｂ１）、（Ｃ１）又は（Ａ２）、（Ｂ２）、（Ｃ２）の関係を満たすように組み合わせてもよいし、同一の金網を積層してもよい。金網に代えてエキスパンドメタルを用いることもできる。
【００６６】
金網と弾性のある濾過材を組み合わせることにより、金網の積層作業において図２（ａ）、（ｂ）で示すような問題が発生することがなく、濾過材を選択することにより、ガス用フィルタの用途に応じた濾過性能を付与することができる。
【００６７】
積層体は、平板状、円筒状等の所望形状に圧縮成形してもよいし、運搬及び保管を容易にする観点から、積層体の端面の一部又は全部を挟み具で挟み付けて固定してもよい。
【００６８】
（５）第５の実施形態
第１〜第４の実施形態で得られたガス用フィルタは、図１０に示すような円筒状フィルタ５０に成形することにより、周知のエアバッグ用ガス発生器のフィルタとして使用することができる。エアバッグ用ガス発生器としては、例えば、特開平１０−１８１５１６号公報の図１、特開２００１−９７１７５公報の図１、WO００／４８８６８の図１に示されたガス発生器を挙げることができる。
【００６９】
図１０の円筒状フィルタは、端面５１が揃った（図２（ｂ）のような凹凸がない）ため、ガス発生器内のガス排出経路に配置した場合には、ガス排出経路を形成する壁面との間に隙間が生じることなく、ぴったりと嵌め込むことができる。このため、ガス発生剤の燃焼により発生した高温ガスは、ショートパスすることなく、確実に円筒状フィルタ内を通過するため、燃焼残渣は濾過され、ガス温度は低下され、エアバッグが正常に膨張される。
【図面の簡単な説明】
【００７０】
【図１】（ａ）はガス用フィルタに使用する金網の平面図、（ｂ）は金網の断面図。
【図２】（ａ）、（ｂ）は、ガス用フィルタを製造するときの金網の積層方法（従来技術）の説明図。
【図３】ガス用フィルタを製造するときの金網の積層方法（本発明）の説明図。
【図４】他実施形態であるガス用フィルタを製造するときの金網の積層方法（本発明）の説明図。
【図５】他実施形態であるガス用フィルタを製造するときの金網の積層方法（本発明）の説明図。
【図６】他実施形態であるガス用フィルタを製造するときの金網の積層方法（本発明）の説明図。
【図７】他実施形態であるガス用フィルタを製造するときの金網の積層方法（本発明）の説明図。
【図８】他実施形態であるガス用フィルタを製造するときの金網の積層方法（本発明）の説明図。
【図９】他実施形態であるガス用フィルタを製造するときの金網の積層方法（本発明）の説明図。
【図１０】エアバッグ用ガス発生器に使用する円筒状フィルタの斜視図。
【符号の説明】
【００７１】
１、１１、２１、３１  金網
２  金属線（縦）
３、１３、２３、３３  金属線（横）
４、１４、２４、３４  凸状交差部
【図１】
2005313121.tif 000002
【図２】
2005313121.tif 000003
【図３】
2005313121.tif 000004
【図４】
2005313121.tif 000005
【図５】
2005313121.tif 000006
【図６】
2005313121.tif 000007
【図７】
2005313121.tif 000008
【図８】
2005313121.tif 000009
【図９】
2005313121.tif 000010
【図１０】
2005313121.tif 000011